(57)【要約】【課題】位置に応じた転写領域内における圧力が一定の値とならないことを原因とする画像品質の低下を抑制することができる画像形成装置及び転写装置を提供する。【解決手段】画像形成装置１０は、中間転写体２１０と、中間転写体２１０に接触する２次転写ロール２５０と、２次転写ロール２５０の長手方向における一端部側に装着された歯車部材２８０と、２次転写ロール２５０の一端部側を中間転写体２１０に押し付ける第１の押付機構６００と、２次転写ロール２５０の長手方向における他端部側を中間転写体２１０に押し付ける第２の押付機構７００とを有し、第１の押付機構６００と第２の押付機構７００とは、２次転写ロール２５０を中間転写体２１０に対して押し付ける力をそれぞれに独立に調整可能である。【選択図】図２
2015118164.tif 000002
【特許請求の範囲】
【請求項１】
像を保持する像保持体と、
前記像保持体から記録媒体に像が転写される転写領域を形成するように、前記像保持体に接触する回転体と、
前記回転体の長手方向における一端部側に装着され、前記回転体に駆動を伝達するための歯車部材と、
前記回転体の前記一端部側を前記像保持体に押し付ける第１の押付機構と、
前記回転体の長手方向における他端部側を前記像保持体に押し付ける第２の押付機構と、
を有し、
前記第１の押付機構及び前記第２の押付機構の少なくともいずれか一方に設けられ、前記回転体を前記像保持体に対して押し付ける力を調整する調整機構と、
を有する画像形成装置。
【請求項２】
前記調整機構は、前記第１の押付機構及び前記第２の押付機構の両方に設けられている請求項１記載の画像形成装置。
【請求項３】
前記歯車部材は、前記像保持体を駆動するための駆動源とは異なる駆動源から駆動が伝達される請求項１又は２記載の画像形成装置。
【請求項４】
前記歯車部材に駆動が伝達されることにより前記回転体の前記一端部側が前記像保持体に押し付けられる力と前記第１の押付機構により前記回転体の前記一端部側が前記像保持体に押し付けられる力とを加えた値が、前記第２の押付機構により前記回転体の前記他端部側が前記像保持体に押し付けられる力と等しくなるように、前記第１の押付機構が前記回転体を前記像保持体に押し付ける力と、前記第２の押付機構が前記回転体を前記像保持体に押し付ける力とが調整されている請求項１乃至３いずれか記載の画像形成装置。
【請求項５】
像保持体から記録媒体に像が転写される転写領域を形成するように、前記像保持体に接触する回転体と、
前記回転体の長手方向における一端部側に装着され、前記回転体に駆動を伝達するための歯車部材と、
前記回転体の前記一端部側を前記像保持体に押し付ける第１の押付機構と、
前記回転体の長手方向における他端部側を前記像保持体に押し付ける第２の押付機構と、
を有し、
前記第１の押付機構及び前記第２の押付機構の少なくともいずれか一方に設けられ、前記回転体を前記像保持体に対して押し付ける力を調整する調整機構と、
を有する転写装置。
【発明の詳細な説明】
【技術分野】
【０００１】
本発明は、画像形成装置及び転写装置に関する。
【背景技術】
【０００２】
特許文献１には、像担持体と、該像担持体上の像を被転写体へ転写する、転写ロールを有した転写手段と、該像担持体と該転写ロールとによって転写ニップが形成されるように該転写ロールへ加圧力を付与する複数の加圧手段とを備えた画像形成装置において、該転写ニップの転写ロール長手方向の圧力偏差を把握可能な情報を検知する情報検知手段と、少なくとも該情報検知手段の検知結果に基づいて、該複数の加圧手段を個々に制御する制御手段とを備えることを特徴とする画像形成装置が記載されている。
【先行技術文献】
【特許文献】
【０００３】
【特許文献１】特開２００８−６４８１９号公報
【発明の概要】
【発明が解決しようとする課題】
【０００４】
本発明は、位置に応じた転写領域内における圧力が一定の値とならないことを原因とする画像品質の低下を抑制することができる画像形成装置及び転写装置を提供することを目的とする。
【課題を解決するための手段】
【０００５】
請求項１に係る本発明は、像を保持する像保持体と、前記像保持体から記録媒体に像が転写される転写領域を形成するように、前記像保持体に接触する回転体と、前記回転体の長手方向における一端部側に装着され、前記回転体に駆動を伝達するための歯車部材と、前記回転体の前記一端部側を前記像保持体に押し付ける第１の押付機構と、前記回転体の長手方向における他端部側を前記像保持体に押し付ける第２の押付機構と、を有し、前記第１の押付機構及び前記第２の押付機構の少なくともいずれか一方に設けられ、前記回転体を前記像保持体に対して押し付ける力を調整する調整機構と、を有する画像形成装置である。
【０００６】
請求項２に係る本発明は、前記調整機構は、前記第１の押付機構及び前記第２の押付機構の両方に設けられている請求項１記載の画像形成装置である。
【０００７】
請求項３に係る本発明は、前記歯車部材は、前記像保持体を駆動するための駆動源とは異なる駆動源から駆動が伝達される請求項１又は２記載の画像形成装置である。
【０００８】
請求項４に係る本発明は、前記歯車部材に駆動が伝達されることにより前記回転体の前記一端部側が前記像保持体に押し付けられる力と前記第１の押付機構により前記回転体の前記一端部側が前記像保持体に押し付けられる力とを加えた値が、前記第２の押付機構により前記回転体の前記他端部側が前記像保持体に押し付けられる力と等しくなるように、前記第１の押付機構が前記回転体を前記像保持体に押し付ける力と、前記第２の押付機構が前記回転体を前記像保持体に押し付ける力とが調整されている請求項１乃至３いずれか記載の画像形成装置である。
【０００９】
請求項５に係る本発明は、像保持体から記録媒体に像が転写される転写領域を形成するように、前記像保持体に接触する回転体と、前記回転体の長手方向における一端部側に装着され、前記回転体に駆動を伝達するための歯車部材と、前記回転体の前記一端部側を前記像保持体に押し付ける第１の押付機構と、前記回転体の長手方向における他端部側を前記像保持体に押し付ける第２の押付機構と、を有し、前記第１の押付機構及び前記第２の押付機構の少なくともいずれか一方に設けられ、前記回転体を前記像保持体に対して押し付ける力を調整する調整機構と、を有する転写装置である。
【発明の効果】
【００１０】
請求項１に係る本発明によれば、位置に応じた転写領域内における圧力が一定の値とならないことを原因とする画像品質の低下を抑制することができる画像形成装置を提供することができる。
【００１１】
請求項２に係る本発明によれば、転写領域内における圧力を所望の値としつつ、位置に応じた転写領域内における圧力が一定の値とならないことを原因とする画像品質の低下を抑制することができる画像形成装置を提供することができる。
【００１２】
請求項３に係る本発明によれば、回転体が像保持体に連れ回りしにくい場合であっても、回転体を確実に回転させることができる画像形成装置を提供することができる。
【００１３】
請求項４に係る本発明によれば、位置に応じた転写領域内における圧力を一定の値とすることができる。
【００１４】
請求項５に係る本発明によれば、位置に応じた転写領域内における圧力が一定の値とならないことを原因とする画像品質の低下を抑制することができる転写装置を提供することができる。
【図面の簡単な説明】
【００１５】
【図１】本発明の実施形態に係る画像形成装置を示す図である。
【図２】図２（ａ）は図１におけるＡ−Ａ線断面を示し、図１に示す画像形成装置が有する第１の押付機構と第２の押付機構とを示す図であり、図２（ｂ）は図２（ａ）に示されている歯車と、この歯車近傍を図２（ａ）における右側から示す図である。
【発明を実施するための形態】
【００１６】
次に本発明の実施形態を図面に基づいて説明する。
図１には、本発明の実施形態に係る画像形成装置１０が示されている。図１に示すように、画像形成装置１０は画像形成装置本体１２を有し、画像形成装置本体１２内に黒のトナー像を形成する画像形成部１００Ｋ、イエローのトナー像を形成する画像形成部１００Ｙ、マゼンタのトナー像を形成する画像形成部１００Ｍ及びシアンのトナー像を形成する画像形成部１００Ｃと、転写装置２００と、定着装置４８０と、給紙装置４００とが設けられている。また、画像形成装置本体１２内には、記録媒体として用いられる用紙を搬送するための搬送路５００が形成されている。
【００１７】
画像形成装置本体１２には、用紙を排出するための排出口１４が形成されている。また、画像形成装置本体１２には、画像形成がなされた後の用紙が排出される排出部として用いられている排出トレー１６が装着されている。
【００１８】
画像形成部１００Ｋ、１００Ｙ、１００Ｍ、１００Ｃは構成が同一であるため、以下、画像形成部１００として一括して説明をする。画像形成部１００は、電子写真方式が採用されていて、感光体１０２と、感光体１０２を帯電する帯電装置１１０と、帯電装置１１０によって帯電された感光体１０２の表面に光を照射し、感光体１０２の表面に静電潜像を形成する潜像形成装置１２０と、感光体１０２に形成された潜像をトナーを含む現像剤を用いて現像し、感光体１０２の表面にトナー像を形成する現像装置１３０と、転写装置２００によってトナー像が後述する中間転写体２１０に転写された後に、感光体１０２を清掃する清掃装置１４０とを有する。
【００１９】
帯電装置１１０は、例えばロール形状の帯電ロールを有し、この帯電ロールに帯電電圧が印加されていて、感光体１０２を帯電させる。
【００２０】
現像装置１３０は、例えばトナーとキャリアとが混合されてなる現像剤を用いて潜像を現像する所謂二成分現像装置を用いることができ、トナーを用いて感光体１０２に形成された潜像を現像する。
【００２１】
清掃装置１４０は、例えば板状の清掃部材を有し、この清掃部材が感光体１０２に押し付けられていて、この清掃部材の端部で感光体１０２の表面からトナー等を除去し、感光体１０２を清掃する。
【００２２】
定着装置４８０は、内部に熱源を有する加熱ロール４８２と、加熱ロール４８２に接触する加圧ロール４８４とを有し、加熱ロール４８２と加圧ロール４８４との接触部で用紙に転写されたトナーを加熱し、加圧することで用紙にトナー像を定着させる。
【００２３】
転写装置２００は、像を保持する像保持体として用いられている中間転写体２１０を有する。中間転写体２１０は、帯状の部材であり、例えば無端状であって、例えば６個の支持ロール２２０、２２２、２２４、２２６、２２８、２３０によって図１に矢印ａで示す方向に回転することができるように支持されている。
【００２４】
６個の支持ロールのうちの少なくとも１つは、中間転写体２１０に駆動を伝達する駆動ロールとして用いられていて、この実施形態においては、支持ロール２３０が駆動ロールとして用いられている。支持ロール２３０には、例えばモータ等の駆動源２３４が連結されている。また、支持ロール２２６は、後述する２次転写ロール２５０に中間転写体２１０を介して対向する対向ロールとして用いられている。
【００２５】
また、転写装置２００は、１次転写部材として用いられている１次転写ロール２４０Ｋ、２４０Ｙ、２４０Ｍ、２４０Ｃを有する。１次転写ロール２４０Ｋ、２４０Ｙ、２４０Ｍ、２４０Ｃは、それぞれが中間転写体２１０の内側に４個の感光体１０２のいずれかに中間転写体２１０を介して対向するように配置されている。１次転写ロール２４０Ｋ、２４０Ｙ、２４０Ｍ、２４０Ｃには、それぞれに１次転写バイアスが印加されて、１次転写ロール２４０Ｋ、２４０Ｙ、２４０Ｍ、２４０Ｃによって４個の感光体１０２から中間転写体２１０への各色のトナー像の転写がなされる。
【００２６】
また、転写装置２００は、２次転写ロール２５０を有する。２次転写ロール２５０は、中間転写体２１０から用紙へトナー像が転写される転写領域Ｎを形成するように、中間転写体２１０に接触する回転体として用いられている。２次転写ロール２５０には、２次転写バイアスが印加されて、２次転写ロール２５０によって中間転写体２１０から用紙へのトナー像の転写がなされる。２次転写ロール２５０は、後述する第１の押付機構６００（図２を参照）と、後述する第２の押付機構７００（図２を参照）とによって中間転写体２１０に押し付けられている。
【００２７】
給紙装置４００は、転写領域Ｎに向けて用紙を供給する。また、給紙装置４００は、用紙が積層された状態で収納される用紙収納容器４０２と、用紙収納容器４０２から用紙を送り出す送り出しロール４０４とを有する。
【００２８】
搬送路５００は、給紙装置４００から転写領域Ｎに向けて用紙を搬送し、転写領域Ｎから定着装置４８０に向けて用紙を搬送し、画像形成装置本体１２内から排出するように用紙を搬送するための搬送路である。搬送路５００近傍には、搬送路５００に沿って用紙の搬送方向における上流側から順に、先述の送り出しロール４０４と、搬送ロール５１０と、レジストロール５２０と、先述の２次転写ロール２５０と、先述の定着装置４８０とが配置されている。
【００２９】
レジストロール５２０は、転写領域Ｎに向けて搬送される用紙の先端部の移動を一時的に停止させ、中間転写体２１０により転写領域Ｎへとトナー像が搬送されるタイミングと合致するように用紙の先端部の転写領域Ｎに向けての移動を再開させる。
【００３０】
図２には、２次転写ロール２５０と、第１の押付機構６００と、第２押付機構７００とが示されている。図２に示されているように、２次転写ロール２５０の軸部２５２には、２次転写ロール２５０の長手方向における一端部側（図２（ａ）における右側、図１と図２（ｂ）における紙面の前側）に軸受部材２６０が装着されている。また、軸部２５２の他端部側（図２（ａ）における左側、図１と図２（ｂ）における紙面奥側）には、軸受部材２７０が装着されている。
【００３１】
また、軸部２５２の一端部側における軸受部材２６０よりも外側の部分には、歯車部材２８０が装着されている。歯車部材２８０は、２次転写ロール２５０に駆動を伝達するための歯車部材として用いられていて、他との歯車部材２８２に噛み合っていて、歯車部材２８２と、例えば複数の歯車部材からなる駆動伝達機構２８４とを介して例えばモータ等の駆動源２８６からの駆動が伝達されるようになっている。より具体的には、歯車部材２８０は、図２（ｂ）に矢印ｂで示されている方向に回転する歯車部材２８２と噛み合っていて、歯車部材２８２から駆動の伝達を受けて２次転写ロール２５０一体として図２（ｂ）に矢印ｃで示されている方向に回転する。
【００３２】
このように歯車部材２８０は、中間転写体２１０を駆動するための駆動源である駆動源２３４とは異なる駆動源である駆動源２８６から駆動が伝達されるようになっている。
【００３３】
歯車部材２８０は、歯車部材２８２から駆動が伝達される際に矢印ｃ方向に回転する駆動が伝達されると共に、図２に示す力Ｆ１を受ける。力Ｆ１の方向は、歯車部材２８０に対する歯車部材２８２の位置と、歯車部材２８２の回転方向とにより異なるものとなり、この実施形態における歯車部材２８０及び歯車部材２８２の配置と、この実施形態における歯車部材２８０及び歯車部材２８２の回転方向においては、力Ｆ１の方向は、図２に示されているように上向きとなる。
【００３４】
第１の押付機構６００は、例えばコイルスプリング等を用いることができる弾性体６０２と、弾性体６０２が軸受部材２６０を押す力を調整する調整機構として用いられているボルト部材６０４とを有する。弾性体６０２の一端部は軸受部材２６０に装着されている。また、弾性体６０２の他端部はボルト部材６０４に装着されている。
【００３５】
ボルト部材６０４には、雄ねじが形成されていて、画像形成装置本体１２（図１を参照）の一部をなす本体フレーム１８に形成された貫通孔（不図示）に形成された雌ねじに噛み合うようにして本体フレーム１８に装着されている。このため、ボルト部材６０４を回転させることにより、ボルト部材６０４は図２に矢印ｄで示されている方向に移動する。そして、ボルト部材６０４が矢印ｄ方向に移動することで、弾性体６０２が２次転写ロール２５０を中間転写体２１０に対して押し付ける力の調整がなされる。
【００３６】
第２の押付機構７００の構成は、第１の押付機構６００と同等であり、弾性体６０２に相当する部材として弾性体７０２を有し、ボルト部材６０４に相当する部材としてボルト部材７０４を有する。弾性体７０２は、弾性体６０２と同じ強さのものを用いても良いし、例えば２次転写ロール２５０を中間転写体２１０に対して押し付ける力が弾性体６０２よりも大きいもの等の弾性体６０２とは異なる強さの弾性体を用いても良い。
【００３７】
第２の押付機構７００においては、ボルト部材７０４を図２に矢印ｄで示されている方向に移動させることにより、弾性体７０２が２次転写ロール２５０を中間転写体２１０に対して押し付ける力の調整がなされる。このように、第１の押付機構６００と第２の押付機構７００とは、２次転写ロール２５０を中間転写体２１０に対して押し付ける力をそれぞれに独立に調整することができるようになっている。
【００３８】
歯車部材２８２から歯車部材２８０が受ける力である先述の力Ｆ１は２次転写ロール２５０の一端部側に作用する。このため、力Ｆ１が作用することにより、２次転写ロール２５０の一端側が中間転写体２１０に対して押し付けられる力の大きさと２次転写ロール２５０の他端部側が中間転写体２１０に対して押し付けられる力の大きさとが異なる値となる虞があり、２次転写ロール２５０の長手方向における位置に応じて転写領域Ｎ内の圧力が異なる値となる虞がある。
【００３９】
この際、第１の押付機構６００が２次転写ロール２５０を中間転写体２１０に対して押し付ける力と、第２の押付機構７００が２次転写ロール２５０を中間転写体２１０に対して押し付ける力とを適当に調整することにより、２次転写ロール２５０の長手方向における位置に応じた転写領域Ｎ内の圧力の違いが低減される。具体的には、歯車部材２８０に駆動が伝達されることにより２次転写ロール２５０の一端部側が中間転写体２１０に押し付けられる力Ｆ１と第１の押付機構６００により２次転写ロール２５０の一端部側が中間転写体２１０に押し付けられる力Ｆ２とを加えた値が、第２の押付機構７００により２次転写ロール２５０の他端部側が中間転写体２１０に押し付けられる力Ｆ３と等しくなるように、力Ｆ２と力Ｆ３とを調整することにより２次転写ロール２５０の長手方向における位置に応じた転写領域Ｎ内の圧力の違いが低減される。
【００４０】
以上で説明をした画像形成装置１０においては、第１の押付機構６００及び第２の押付機構７００の両方が、２次転写ロール２５０を中間転写体２１０に対して押し付ける力を調整する調整機構（ボルト部材６０４、ボルト部材７０４）を有していたものの、第１の押付機構６００及び第２の押付機構７００の少なくともいずれか一方が２次転写ロール２５０を中間転写体２１０に対して押し付ける力を調整する調整機構を有していれば良い。すなわち、第１の押付機構６００のみが調整機構を有し、第２の押付機構７００が調整機構を有しないようにしても良いし、第２の押付機構７００のみが調整機構を有し、第１の押付機構６００が調整機構を有しないようにしても良い。
【産業上の利用可能性】
【００４１】
以上述べたように、本発明は、少なくとも、例えばプリンタ、ファクシミリ、複写機等の画像形成装置と、例えばこのような画像形成装置に用いられる転写装置とに適用することができる。
【符号の説明】
【００４２】
１０・・・画像形成装置
２００・・・転写装置
２１０・・・中間転写体
２３４・・・駆動源
２５０・・・２次転写ロール
２８０・・・歯車部材
２８６・・・駆動源
６００・・・第１の押付機構
７００・・・第２の押付機構
【図１】
2015118164.tif 000003
【図２】
2015118164.tif 000004